(57)【要約】本発明は、護岸や海岸、または道路の周辺の斜面などに設置される植生用仕切り金網に関し、平面形状の金網の左右両側端部が上向きに折り曲げられる外部金網１１０と；平面形状の金網の前後両側端部が上向きに折り曲げられ、前記外部金網１１０の内部に収容されて固定されながら、前記外部金網１１０の前後両側端部の外壁及び多数の内部隔壁を形成する多数の第１仕切り金網２１０と；前記外部金網１１０の内部面に沿って設置されて前記外部金網１１０を覆う外部金網不織布１１５と；前記第１仕切り金網２１０の上向きに折り曲げられた部位の内部面に沿って設置されて前記第１仕切り金網２１０の上向きに折り曲げられた部位を覆う第１仕切り不織布２１５と；土と種子が混合されたものであって、多数の空間に区画された前記外部金網１１０の内部を詰めるように高圧で布設される緑生土４１０と；を含んで構成されることを特徴とする。
2021510783.tif 000002
【特許請求の範囲】
【請求項１】
護岸や海岸、または道路の周辺の斜面などに設置される植生用仕切り金網であって、
平面形状の金網の左右両側端部が上向きに折り曲げられる外部金網（１１０）と、
平面形状の金網の前後両側端部が上向きに折り曲げられ、前記外部金網（１１０）の内部に収容されて固定されながら、前記外部金網（１１０）の前後両側端部の外壁及び多数の内部隔壁を形成する多数の第１仕切り金網（２１０）と、
前記外部金網（１１０）の内部面に沿って設置されて前記外部金網（１１０）を覆う外部金網不織布（１１５）と、
前記第１仕切り金網（２１０）の上向きに折り曲げられた部位の内部面に沿って設置されて前記第１仕切り金網（２１０）の上向きに折り曲げられた部位を覆う第１仕切り不織布（２１５）と、
多数の空間に区画された前記外部金網（１１０）の内部を詰めるように土が高圧で布設される緑生土（４１０）とを含んで構成されることを特徴とする、不織布が含まれた植生用仕切り金網。
【請求項２】
平面形状の金網の左右両側端部が上向きに折り曲げられ、前記第１仕切り金網（２１０）のそれぞれの内部に収容されて固定されながら内部隔壁を形成する第２仕切り金網（２２０）と、
前記第２仕切り金網（２２０）の上向きに折り曲げられた部位の内部面に沿って設置されて前記第２仕切り金網（２２０）の上向きに折り曲げられた部位を覆う第２仕切り不織布（２２５）と、
が前記緑生土（４１０）を布設する前に追加設置されることを特徴とする、請求項１に記載の不織布が含まれた植生用仕切り金網。
【請求項３】
前記緑生土（４１０）が布設されて詰められた前記外部金網（１１０）の上部面を覆い、前記外部金網不織布（１１５）及び前記第１仕切り不織布（２１５）と熱融着される上部不織布（３２０）がさらに含まれることを特徴とする、請求項１又は２に記載の不織布が含まれた植生用仕切り金網。
【請求項４】
前記緑生土（４１０）には、土と共に種子が混合されて共に布設され、
前記上部不織布（３２０）の上部を覆うコイアマット（３３０）と、
前記コイアマット（３３０）の上部に設置されて前記外部金網（１１０）及び前記第１仕切り金網（２１０）の上端部に固定される蓋金網（３１０）とがさらに含まれることを特徴とする、請求項３に記載の不織布が含まれた植生用仕切り金網。
【請求項５】
前記外部金網不織布（１１５）及び前記上部不織布（３２０）のそれぞれには多数の植生穴（１１）が穿孔されていることを特徴とする、請求項４に記載の不織布が含まれた植生用仕切り金網。
【請求項６】
前記上部不織布（３２０）の上部を覆う種子発芽台（３４０）と、
前記種子発芽台（３４０）の上部に設置されて前記外部金網（１１０）及び前記第１仕切り金網（２１０）の上端部に固定される蓋金網（３１０）とがさらに含まれ、
前記種子発芽台（３４０）は、
種子が布設されるパルプ層（３４５）と、
種子が布設されたパルプ層（３４５）の上部面に一体に合体されるコイアマット（３３０）とで構成されることを特徴とする、請求項３に記載の不織布が含まれた植生用仕切り金網。
【請求項７】
請求項４又は５に記載の不織布が含まれた植生用仕切り金網を用いた斜面緑化工法であって、
斜面の整地作業を行った後、多数の外部金網（１１０）を相互に密着するように設置する第１ステップと、
外部金網（１１０）の内部面に沿って外部金網不織布（１１５）を設置する第２ステップと、
第１仕切り金網（２１０）を外部金網（１１０）の内側に設置し、結束して固定する第３ステップと、
第１仕切り金網（２１０）の上向きに折り曲げられた部位の内部面に沿って第１仕切り不織布（２１５）を設置する第４ステップと、
第２仕切り金網（２２０）を第１仕切り金網（２１０）の内側に設置し、結束して固定する第５ステップと、
第２仕切り金網（２２０）の上向きに折り曲げられた部位の内部面に沿って第２仕切り不織布（２２５）を設置する第６ステップと、
種子が含まれた緑生土（４１０）を高圧で布設して、多数の空間に区画された外部金網（１１０）の内部を詰める第７ステップと、
緑生土（４１０）が布設された外部金網（１１０）の上部に上部不織布（３２０）を覆い、外部金網不織布（１１５）の上端、第１仕切り不織布（２１５）の上端、及び第２仕切り不織布（２２５）の上端と互いに当接する部位を熱融着する第８ステップとを含んで構成されることを特徴とする、不織布が含まれた植生用仕切り金網を用いた斜面緑化工法。
【請求項８】
上部不織布（３２０）の上部にコイアマット（３３０）を覆い、コイアマット（３３０）の上部に蓋金網（３１０）を覆った後、蓋金網（３１０）と外部金網（１１０）の上端部とを結束する第９ステップがさらに含まれることを特徴とする、請求項７に記載の不織布が含まれた植生用仕切り金網を用いた斜面緑化工法。
【請求項９】
請求項６に記載の不織布が含まれた植生用仕切り金網を用いた斜面緑化工法であって、
斜面の整地作業を行った後、多数の外部金網（１１０）を相互に密着するように設置する第１ステップと、
外部金網（１１０）の内部面に沿って外部金網不織布（１１５）を設置する第２ステップと、
第１仕切り金網（２１０）を外部金網（１１０）の内側に設置し、結束して固定する第３ステップと、
第１仕切り金網（２１０）の上向きに折り曲げられた部位の内部面に沿って第１仕切り不織布（２１５）を設置する第４ステップと、
第２仕切り金網（２２０）を第１仕切り金網（２１０）の内側に設置し、結束して固定する第５ステップと、
第２仕切り金網（２２０）の上向きに折り曲げられた部位の内部面に沿って第２仕切り不織布（２２５）を設置する第６ステップと、
種子が含まれていない緑生土（４１０）を高圧で布設して、多数の空間に区画された外部金網（１１０）の内部を詰める第７ステップと、
緑生土（４１０）が布設された外部金網（１１０）の上部に上部不織布（３２０）を覆い、外部金網不織布（１１５）の上端、第１仕切り不織布（２１５）の上端、及び第２仕切り不織布（２２５）の上端と互いに当接する部位を熱融着する第８ステップと、
上部不織布（３２０）の上部に種子発芽台（３４０）を覆い、種子発芽台（３４０）の上部に蓋金網（３１０）を覆った後、蓋金網（３１０）と外部金網（１１０）の上端部とを結束する第９ステップとを含んで構成され、
前記種子発芽台（３４０）は、
種子が布設されるパルプ層（３４５）と、
種子が布設されたパルプ層（３４５）の上部面に一体に合体されるコイアマット（３３０）とで構成されることを特徴とする、不織布が含まれた植生用仕切り金網を用いた斜面緑化工法。
【発明の詳細な説明】
【技術分野】
【０００１】
本発明は、護岸や海岸、または道路の周辺の切土斜面などに設置される植生用仕切り金網に関し、折り曲げられた外部金網の内部に折り曲げられた仕切り金網を設置した後、種子が含まれた緑生土４１０を高圧で布設する方式で施工される植生用仕切り金網を提供することによって、布設された土の流失防止と共に、施工の利便性及び経済性を確保することを特徴とする。
【背景技術】
【０００２】
道路の新設やその他の斜面を切土する場合、自然地形を切開することにより切土斜面が発生するようになり、このような切土斜面の土壌の流失を防止するための緑化工法として、シードスプレー、稲わら工法、緑生土工法、マットレス蛇篭を用いた工法などが用いられている。
【０００３】
この中で代表的な工法として現在使用されている緑生土工法は、土木工事が完了して整備された切土斜面に緑生土が流れ落ちないで吸着し得るように、図１に示されたように、切土斜面に菱形網（金網）を覆い、アンカーピンを設置して菱形網を地面に固着させた後、その上部に緑化土と種子を配合した緑生土を高圧で布設して一定の厚さ（１０〜１５ｃｍ）に形成されるように施工する。
【０００４】
ところが、このような従来の緑生土工法は、地表面に草本類の植生が活着しても、暴雨による洪水などによって地表面が容易に流失し得るという問題があるが、地表面が流失した場合には、補修工事のために、図２に示されたように、六面体形状の四角の金網を設置し、その内部に砂利を詰めたり、各種植生バッグを詰めたりする形で施工されている。併せて、図２に図示していないが、四角の金網の内部に詰められた植生バッグの上部に種子発芽台などを設置した後、蓋金網を結束した形で作製されることもある。
【０００５】
しかし、このような四角の金網形態の各種マットレス工法は、植生は可能であるが、植生バッグのそれぞれの縫製工程、及び植生バッグを１つずつ四角の金網の内部に積置する過程が伴わなければならないので、作業時間とコストが増加するという問題がある。
【先行技術文献】
【特許文献】
【０００６】
【特許文献１】韓国公開特許第１０−２０１１−０１２８５７６号公報
【特許文献２】韓国公開特許第１０−２０１４−０１０９６３５号公報
【発明の概要】
【発明が解決しようとする課題】
【０００７】
上記の問題点を解決するために創作された本発明の目的は、次の通りである。
【０００８】
第一に、植生のための緑生土の流失を効果的に防止することができる新たな植生用仕切り金網及び緑化工法を提供することを本発明の目的とする。
【０００９】
第二に、作製及び施工過程を単純化して経済性及び利便性を画期的に増大させることができる新たな植生用仕切り金網及び緑化工法を提供することを本発明の他の目的とする。
【００１０】
第三に、別途にアンカーを打設して固定させる過程及び布設された土壌を固める過程が省略された新たな植生用金網及び緑化工法を提供することを本発明の更に他の目的とする。
【課題を解決するための手段】
【００１１】
上記の目的を達成するために創作された本発明の技術的構成は、次の通りである。
【００１２】
護岸や海岸、または道路の周辺の斜面などに設置される植生用仕切り金網に関し、平面形状の金網の左右両側端部が上向きに折り曲げられる外部金網１１０と；平面形状の金網の前後両側端部が上向きに折り曲げられ、前記外部金網１１０の内部に収容されて固定されながら、前記外部金網１１０の前後両側端部の外壁及び多数の内部隔壁を形成する多数の第１仕切り金網２１０と；前記外部金網１１０の内部面に沿って設置されて前記外部金網１１０を覆う外部金網不織布１１５と；前記第１仕切り金網２１０の上向きに折り曲げられた部位の内部面に沿って設置されて前記第１仕切り金網２１０の上向きに折り曲げられた部位を覆う第１仕切り不織布２１５と；土と種子が混合されたものであって、多数の空間に区画された前記外部金網１１０の内部を詰めるように高圧で布設される緑生土４１０と；を含んで構成されることを特徴とする。
【発明の効果】
【００１３】
本発明の構成による技術的効果は、次の通りである。
【００１４】
第一に、別途に植生バッグを作製し、その内部に土を詰めた後、縫製する作業、及び植生バッグを金網の内部に個別的に積置する過程が不要であるので、施工期間を短縮し、施工費を大幅に削減することができる。
【００１５】
第二に、外部金網１１０、第１仕切り金網２１０、または第２仕切り金網２２０は、現場の状況に合わせて予め折り曲げて相互に結束して使用することによって、六面体形状の四角の金網の作製によるコストを削減し、施工効率を向上させることができる。
【００１６】
第三に、外部金網１１０と第１仕切り金網２１０などを結束した後、その内部空間に種子が含まれた緑生土４１０を装備を用いて高圧布設して詰めることによって、土の布設後に伴われていた固め過程を別途に行う必要がなく、迅速な布設が可能である。
【００１７】
第四に、緑生土４１０の布設後、上部不織布３２０を覆った後、上部不織布３２０と外部金網不織布１１５、上部不織布３２０と第１仕切り不織布２１５などを超音波で熱融着させることによって、布設された緑生土４１０の流失を防止し、個別的に作製された植生バッグが設置された場合と同一の効果を図ることができる。
【００１８】
第五に、コイアマット３３０と蓋金網３１０を覆った後、蓋金網３１０と外部金網１１０の上端部、蓋金網３１０と第１仕切り金網２１０の上端部などを相互に結束させ、外部金網１１０が連続的に配列されるように斜面に設置することによって、別途のアンカー作業なしに構造的安定性を確保することができる。
【図面の簡単な説明】
【００１９】
【図１】従来技術を例示的に示す図である。
【図２】従来技術を例示的に示す図である。
【図３】本発明の具体的な実施例の主要構成を示す斜視図である。
【図４】本発明に係る緑化工法の過程を例示的に示す図である。
【図５】種子発芽台３４０が使用される場合を例示的に示す図である。
【発明を実施するための形態】
【００２０】
以下では、本発明の具体的な実施例を、添付の図面を参照してより詳細に説明する。
【００２１】
本発明は、護岸や海岸、または道路の周辺の斜面などに設置される植生用仕切り金網に関し、主要構成が図３に示されている。
【００２２】
外部金網１１０は、平面形状の金網の左右両側端部が上向きに折り曲げられた形態の構造であって、外部金網１１０を構成する網の規格は、現場の状況を考慮して適宜選択することができる。
【００２３】
外部金網不織布１１５は、外部金網１１０の内部面に沿って設置されて外部金網１１０を覆い、このような外部金網不織布１１５は、外部金網１１０と共に布設される緑生土４１０の流失を防止する役割を果たす。
【００２４】
このような外部金網不織布１１５には、緑生土４１０の流失が防止される範囲内で多数の植生穴１１が穿孔されることで、植物の根の活着を助け、外部と酸素、水分、栄養分などの交換が円滑に行われるようにする。
【００２５】
第１仕切り金網２１０は、平面形状の金網の前後両側端部が上向きに折り曲げられた形態の構造であって、このような第１仕切り金網２１０を構成する網の規格は、現場の状況を考慮して適宜選択することができる。
【００２６】
このような第１仕切り金網２１０は、外部金網１１０の内部に収容されて固定されながら、外部金網１１０の前後両側端部の外壁及び多数の内部隔壁を形成するようになる。
【００２７】
第１仕切り金網２１０は、添付の図面に別途に示していないが、ホッグリングやその他の結束線などを用いて外部金網１１０と相互に結束する方法で固定する。
【００２８】
第１仕切り不織布２１５は、第１仕切り金網２１０の上向きに折り曲げられた部位の内部面に沿って設置されて上向きに折り曲げられた部位を覆うようになり、上向きに折り曲げられた部位のみを個別的に覆う構造からなってもよく、図３に示されたように、一枚の不織布を使用して底面まで共に覆う構造からなってもよい。
【００２９】
外部金網１１０や第１仕切り金網２１０の大きさに応じて第２仕切り金網２２０が追加されてもよいが、第２仕切り金網２２０は、平面形状の金網の左右両側端部が上向きに折り曲げられた構造であって、第１仕切り金網２１０のそれぞれの内部に収容されて固定されながら、第１仕切り金網２１０の内部に隔壁を形成するようになる。
【００３０】
このような第２仕切り金網２２０を構成する網の規格も、現場の状況を考慮して適宜選択することができる。
【００３１】
第２仕切り金網２２０及び第１仕切り金網２１０も、添付の図面に別途に示していないが、ホッグリングやその他の結束線などを使用して相互に結束する。
【００３２】
第２仕切り不織布２２５は、第２仕切り金網２２０の上向きに折り曲げられた部位の内部面に沿って設置されて上向きに折り曲げられた部位を覆うようになり、図３に示されたように、上向きに折り曲げられた部位のみを個別的に覆う構造からなってもよく、添付の図面に別途に示していないが、一枚の不織布を使用して底面まで共に覆う構造からなってもよい。
【００３３】
このような外部金網不織布１１５、第１仕切り不織布２１５、及び第２仕切り不織布２２５は、外部金網１１０の内部を詰めるように布設された緑生土４１０が、区画された隔室の内部に安定に留まるようにして、緑生土４１０の流失を防止する役割を果たす。
【００３４】
このような第１仕切り不織布２１５及び第２仕切り不織布２２５には、外部金網不織布１１５とは異なり、植生穴１１が必ずしも必要なものではないが、様々な現場の状況などを考慮して、外部金網不織布１１５と同様に、多数の植生穴１１が穿孔されてもよい。
【００３５】
緑生土４１０は、土が布設されたものであって、第１仕切り金網２１０が設置されるか、または第１仕切り金網２１０と第２仕切り金網２２０が共に設置された外部金網１１０の内部に高圧で布設され、多数の隔壁で区画された外部金網１１０の内部を詰めるようになる。
【００３６】
このような緑生土４１０は、図３又は図４に示されたように、種子と混合されて共に布設されてもよく、図５に示されたように、種子は共に布設されず、種子が含まれた種子発芽台３４０を別途に設置する方法が選択されてもよい。
【００３７】
このように、高圧の布設装備を用いて緑生土４１０を詰めるようになるので、布設後に別途に固める作業を行う必要がない。
【００３８】
高圧の布設装備は、現在商用化された装備の中で適切なものを選択し、各装備のマニュアルに従って布設作業を行えばよい。
【００３９】
上部不織布３２０は、緑生土４１０が詰められた外部金網１１０の上部面を覆うようになり、このような上部不織布３２０は、外部金網不織布１１５、第１仕切り不織布２１５、及び第２仕切り不織布２２５のそれぞれに熱融着されて固定される。
【００４０】
熱融着は、超音波融着機、レーザー融着機、近赤外線熱融着機などを使用して行うことができる。
【００４１】
このような熱融着作業を円滑に行うためには、上部不織布３２０と外部金網不織布１１５とが当接する部位、上部不織布３２０と第１仕切り不織布２１５とが当接する部位、上部不織布３２０と第２仕切り不織布２２５とが当接する部位に、緑生土のような異物があってはならない。したがって、緑生土４１０の布設作業時に、外部金網不織布１１５の上端、第１仕切り不織布２１５の上端、第２仕切り不織布２２５の上端に沿って「∧」状の断面を有する保護蓋２２を設置し、布設が完了した後、上部不織布３２０を熱融着する前に保護蓋２２を除去することが好ましい。
【００４２】
併せて、上部不織布３２０にも多数の植生穴１１が穿孔される。
【００４３】
コイアマット３３０は、上部不織布３２０の上部を覆う。
【００４４】
コイアマット３３０は、上部不織布３２０と共に、植生が活着するまで緑生土４１０の流失を防止するようになる。併せて、初期植生が円滑に行われるように、一定期間水分を吸収して保持する機能も行う。また、コイアマット３３０は、腐食して有機化される（およそ５年ほどかかる）まで紫外線から上部不織布３２０を効果的に保護すると同時に、最終的に有機化されながら植物の発育に役立つ。
【００４５】
このようなコイアマット３３０は、ローンカーペット（ｌａｗｎ  ｃａｒｐｅｔ）やヤシ皮などで作製され、必要によっては、黄麻などで作製されたジュートが使用されてもよい。
【００４６】
図５は、コイアマット３３０のみが単独で使用されるものではなく、種子発芽台３４０が使用される場合を示しており、このように種子発芽台３４０が使用される場合には、緑生土４１０には種子が混合されない。
【００４７】
種子発芽台３４０は、上部不織布３２０の上部を覆うようになり、このような種子発芽台３４０は、種子が布設されるパルプ層３４５、及び種子が布設されたパルプ層３４５の上部面に一体に合体されるコイアマット３３０で構成される。
【００４８】
パルプ層３４５は、植物から抽出した繊維質からなり、パルプ層３４５には、肥料と共に、テラコッテム（Ｔｅｒｒａｃｏｔｔｅｍ）のような保湿剤を含有させて植物の発芽を助けるようにすることが好ましい。
【００４９】
テラコッテムは、比重がおよそ８００ｋｇ／ｍ３であり、水分吸収容量が自重の２００倍程度となるので、日照りや水分不足の土壌で植物の生存に適切な水分の供給が可能であり、無機養分、成長促進剤及び電解質物質が混合された特殊な粒子状からなる総合土壌保湿剤であって、肥料の使用量を５０％以上削減することができる。また、通気性及び排水性を増大させ、過度の塩分及び不純物を遮断し、根の活着能力を増大させることは勿論、着根時期を早期短縮し、枯死率を減少させるため、植物の生長率も向上する。
【００５０】
蓋金網３１０は、コイアマット３３０の上部、またはコイアマット３３０を含む種子発芽台３４０の上部に設置され、外部金網１１０及び第１仕切り金網２１０の上端部と結束されてボックス状の植生用金網を完成することによって、内部構成物の離脱を防止するようになる。
【００５１】
必要によっては、第２仕切り金網２２０の上端部とも結束が行われてもよい。
【００５２】
このような不織布が含まれた植生用仕切り金網を用いた斜面緑化工法は、図４に示されたような過程からなる。
【００５３】
（１）第１ステップ
斜面の整地作業を行った後、左右両側端部が垂直に折り曲げられた多数の外部金網１１０を相互に密着するように設置する過程である。
【００５４】
（２）第２ステップ
外部金網１１０の内部面に沿って外部金網不織布１１５を設置する過程である。
【００５５】
このような外部金網不織布１１５は、それぞれの外部金網１１０ごとに個別的に１枚ずつ設置してもよく、添付の図面に別途に示していないが、互いに密着するように配列された多数個の外部金網１１０に沿って１枚の外部金網不織布１１５が連続的につながるように設置してもよい。
【００５６】
併せて、添付の図面に別途に示していないが、多数の外部金網不織布１１５を順次敷く場合、隣り合う外部金網不織布１１５が互いに一定の幅だけ重なるように配列して緑生土４１０の流失を防止することが好ましい。
【００５７】
（３）第３ステップ
第１仕切り金網２１０を外部金網１１０の内側に設置し、結束して固定する過程であって、ホッグリングやその他の結束線などを使用して相互に結束する。
【００５８】
このような過程を通じて、外部金網１１０の内部空間に隔壁で区画された多数の隔室及び前後方向の外壁が形成される。
【００５９】
（４）第４ステップ
第１仕切り金網２１０の上向きに折り曲げられた部位の内部面に沿って第１仕切り不織布２１５を設置して、上向きに折り曲げられた部位を覆う過程である。
【００６０】
第１仕切り不織布２１５は、第１仕切り金網２１０の上向きに折り曲げられた部位の内部面に沿って設置されて上向きに折り曲げられた部位を覆うようになるが、上向きに折り曲げられた部位のみを個別的に覆う構造からなってもよく、図３又は図４に示されたように、一枚の不織布を使用して底面まで共に覆う構造からなってもよい。
【００６１】
（５）第５ステップ
第１仕切り金網２１０の内部に第２仕切り金網２２０を設置し、結束して固定する過程であって、ホッグリングやその他の結束線などを使用して相互に結束する。
【００６２】
（６）第６ステップ
第２仕切り不織布２２５を第２仕切り金網２２０の上向きに折り曲げられた部位の内部面に沿って設置して、上向きに折り曲げられた部位を覆う過程である。図３又は図４に示されたように、上向きに折り曲げられた部位のみを個別的に覆う構造からなってもよく、添付の図面に別途に示していないが、一枚の不織布を使用して底面まで共に覆う構造からなってもよい。
【００６３】
（７）第７ステップ
種子が含まれた緑生土４１０を高圧で布設して、多数の空間に区画された外部金網１１０の内部を詰める過程である。
【００６４】
このような過程を通じて、外部金網１１０の内部の全ての隔室が緑生土４１０で詰められる。
【００６５】
（８）第８ステップ
緑生土４１０が布設された外部金網１１０の上部に上部不織布３２０を覆い、外部金網不織布１１５、第１仕切り不織布２１５、及び第２仕切り不織布２２５に熱融着する過程である。
【００６６】
上部不織布３２０を覆った後、上部不織布３２０と当接する外部金網不織布１１５の上端部、第１仕切り不織布２１５の上端部、及び第２仕切り不織布２２５の上端部を熱融着して上部不織布３２０と一つに連結し、このような過程を通じて、不織布で取り囲まれた内部空間が緑生土４１０で詰められて不織布植生バッグのような役割を行うようになる。
【００６７】
緑生土４１０は、図４に示されたように、土と種子が共に混合されて布設されて形成されてもよく、又は、添付の図面には別途に示していないが、種子なしに土のみが布設されて緑生土４１０を形成してもよい。
【００６８】
（９）第９ステップ
土と種子が混合された緑生土４１０が布設された場合には、上部不織布３２０の上部にコイアマット３３０を覆い、コイアマット３３０の上部に蓋金網３１０を覆った後、蓋金網３１０と外部金網１１０の上端部とを結束線で結束する過程が行われる。必要によっては、第１仕切り金網２１０や第２仕切り金網２２０とも結束が行われてもよい。
【００６９】
種子が混合されていない緑生土４１０が布設された場合には、図５に示されたように、上部不織布３２０の上部に種子発芽台３４０を覆い、種子発芽台３４０の上部に蓋金網３１０を覆った後、蓋金網３１０と外部金網１１０の上端部とを結束線で結束する過程が行われる。必要によっては、第１仕切り金網２１０や第２仕切り金網２２０とも結束が行われてもよい。
【００７０】
このような過程を通じて斜面緑化工法が完了する。
【００７１】
上記のように本発明の具体的な実施例を添付の図面を参照して説明したが、本発明の保護範囲が必ずしもこのような実施例のみに限定されるものではなく、本発明の技術的要旨を変更しない範囲内で様々な設計変更、公知技術の付加や削除、単純な数値の限定などの場合にも本発明の保護範囲に属することを明らかにする。
【符号の説明】
【００７２】
下記の符号は、本発明に関する図（図３乃至図５）にのみ適用され、従来技術を示した図１及び図２とは関係ない。
【００７３】
１１０：外部金網
１１５：外部金網不織布
２１０：第１仕切り金網
２１５：第１仕切り不織布
２２０：第２仕切り金網
２２５：第２仕切り不織布
３１０：蓋金網
３２０：上部不織布
３３０：コイアマット
３４０：種子発芽台
３４５：パルプ層
４１０：緑生土
１１：植生穴
２２：保護蓋
【図１】
2021510783.tif 000003
【図２】
2021510783.tif 000004
【図３】
2021510783.tif 000005
【図４】
2021510783.tif 000006
【図５】
2021510783.tif 000007
【国際調査報告】
2021510783.tif 000008
2021510783.tif 000009
2021510783.tif 000010
2021510783.tif 000011